(57)【要約】【課題】プラグの着脱が容易なＡＣアダプタのプラグの固定機構を提供する。【解決手段】一端側にＡＣアダプタ２のプラグ２２ａが挿入されるジャック３１が設けられたケース３ａと、プラグ２２ａのジャック３１への挿抜方向に摺動可能に、且つ挿抜方向における任意の位置でケース３ａに固定可能に基部がケース３ａに取付けられ、先端部にプラグ２２ａの基部（例えば、溝２２ｂ）を挟み込んで係止可能なＵ字切欠部３９ａが設けられた固定具３４ａと、を備えている。【選択図】図４
2008108496.tif 000002
【特許請求の範囲】
【請求項１】
一端側にＡＣアダプタのプラグが挿入されるジャックが設けられた本体部と、
前記プラグの前記ジャックへの挿抜方向に摺動可能に、且つ前記挿抜方向における任意の位置で前記本体部に固定可能に基部が前記本体部に取付けられ、先端部に前記プラグの基部を挟み込んで係止可能なＵの字状切欠部からなる係止部が設けられた固定具と、
を備えていることを特徴とするＡＣアダプタのプラグの固定機構。
【請求項２】
前記固定具の基部は、前記プラグの前記ジャックへの挿抜方向に長く形成された長孔を有し、この長孔を介して前記本体部の雌ネジに螺合する固定ネジにより前記本体部に取付けられており、
前記固定具の係止部は、前記プラグの基部に嵌合して当該基部を挟持可能な切欠部を有すること、
を特徴とするＡＣアダプタのプラグの固定機構。
【発明の詳細な説明】
【技術分野】
【０００１】
本発明は、ＡＣアダプタのプラグの固定機構に係り、特にＡＣアダプタの直流側配線コードを中継する場合に好適なプラグの固定機構に関する。
【背景技術】
【０００２】
ノートパソコン等のディジタル電子機器や各種オーディオ機器等の電子機器には、ＡＣアダプタ（交流／直流変換器）が用いられる。ＡＣアダプタの直流出力側コードの先端にはプラグが取付けられている。このプラグは電子機器側に設けられたジャックに挿入され、電子機器に直流電力を供給する。
一般に、プラグとジャックの接続関係は単に凹凸の嵌め合構造になっているだけで、特に離脱防止のための工夫はなされていない。そのため、床等に這わされたコードに足が引っかかったような場合に簡単にプラグがジャックから外れ、電源供給が停止される。不意な電源供給の停止は、特にパソコンのような場合、貴重なデータの損失を招くことがあるため、プラグに引き抜き方向の力が加わった場合にプラグとジャックとが簡単に離脱しないようにすることが要請される。
この点を改善する技術として、特許文献１に開示されたコード抜け防止取付具が公知である。
【特許文献１】特開２００３−１２３９０３号公報
【発明の開示】
【発明が解決しようとする課題】
【０００３】
上記特許文献1に開示された取付け具は、プラグ径と略同一の径を有する孔にプラグを挿通させた状態で、固定部を機器自体に直接固定する構造を有するものである。この特許文献の取付け具によれば、機器自体に接続されるプラグの離脱を防止することができる。しかし、プラグの固定に際し、プラグを孔の挿通させる必要があり、プラグに取付け具を嵌めた状態で本体の取付け位置に位置合わせし、次いでビス止めするという段階を踏む必要があるため、着脱するのに手間がかかる。
本発明は、プラグの着脱が容易なＡＣアダプタのプラグの固定機構を提供することを目的とするものである。
【課題を解決するための手段】
【０００４】
上記課題を解決するために、請求項１に記載の発明は、一端側にＡＣアダプタのプラグが挿入されるジャックが設けられた本体部と、前記プラグの前記ジャックへの挿抜方向に摺動可能に、且つ前記挿抜方向における任意の位置で前記本体部に固定可能に基部が前記本体部に取付けられ、先端部に前記プラグの基部を挟み込んで係止可能なＵの字状切欠部からなる係止部が設けられた固定具と、を備えていることを特徴とする。
請求項２に記載の発明は、前記固定具の基部は、前記プラグの前記ジャックへの挿抜方向に長く形成された長孔を有し、この長孔を介して前記本体部の雌ネジに螺合する固定ネジにより前記本体部に取付けられており、前記固定具の係止部は、前記プラグの基部に嵌合して当該基部を挟持可能な切欠部を有することを特徴とする。
【発明の効果】
【０００５】
本発明によれば、先端部に前記プラグの基部を挟み込んで係止可能な二股状の係止部が設けられた固定具を有し、その基部をプラグのジャックへの挿抜方向に摺動可能に、且つ前記挿抜方向における任意の位置で前記本体部に固定可能に本体部に取付けてあるので、取付け作業が容易となる。
【発明を実施するための最良の形態】
【０００６】
以下本発明の実施形態を図面に基づいて説明する。
（プラグ固定機構の構成例１）
以下、構成例１に係るプラグ固定機構を図１に基づいて説明する。この図１は、構成例１に係るプラグ固定機構の全体概略構成図及び構成斜視図を示す。
【０００７】
同図において構成例１に係るプラグ固定機構１は、一端側にＡＣアダプタ２のプラグ２２が挿入されるジャック５１が設けられた電子機器５と、前記プラグ２２の前記ジャック５１への挿抜方向に摺動可能に、且つ前記挿抜方向における任意の位置で前記電子機器５に固定可能に基部１２が前記電子機器５における機器ケース５２の上面に取付けられ、先端部に前記プラグ２２の基部１２に形成された溝２２ｂを挟み込んで係止可能なＵ字状に切欠した切欠部１６からなる係止片１５が設けられた固定具１とを備える構成である。
【０００８】
次に、前記構成に基づく本実施例１に係るプラグ固定機構１の固定動作について説明する。まず、図１（Ｂ）に記載する固定具１１を矢印Ａ方向へ長孔１４に沿って引き出し、このように固定具１１を引き出した状態でこの固定具１１の先端に形成されたＵ字切欠部１６に対して、ＡＣアダプタ２のプラグ２２の基端部分に形成された溝２２ｂを下方向から押し付けるようにして前記Ｕ字切欠部１６と溝２２ｂとを嵌合させて係止する。
【０００９】
この固定具１１にプラグ２２を係止した状態で、前記固定具１１を矢印Ａ方向とは逆方向へ長孔１４に沿って図１（Ｂ）に示す位置まで移動させると共に、前記プラグ２２の金属ピン２２ｃを電子機器５の側面に配設されたジャック５１に挿通する。
【００１０】
このＡＣアダプタ２のプラグ２２が電子機器５のジャック５１へ完全に挿通され、長孔１４の端部まで固定ネジ１３が移動すると、この固定ネジ１３を回動させて螺合して固定具１１が機器ケース５２の上面に固着される。このように固着された固定具１１によりプラグ２２がジャック５１への挿通が保持できることから、電子機器５とＡＣアダプタ２との接続を確実なものとすることができる。
【００１１】
（プラグ固定機構の構成例２）
図２に、プラグ固定機構の概要を示す。この例は、二つのＡＣアダプタ２及び４の直流コードが接続可能とされたものである。
電源プラグ２１、４１はＡＣコンセントに差し込まれ、入力された交流電圧はＡＣアダプタ２、４により直流電圧に変換され、コード２３、４３の先端に設けられたプラグ２２、４２を介してプラグ固定機構６側に送られる。
【００１２】
プラグ固定機構６にはジャック３１、３２が設けられており、これらのジャック３１、３２にそれぞれプラグ２２、４２が差し込まれる。ＡＣアダプタ２、４からの直流電圧は、例えばプラグ固定機構６において合成され、コード３３、プラグ３４及び電子機器５のジャック５１を介して当該電子機器５に供給される。
【００１３】
図３に、プラグ固定機構６の外観構成を示す。
ケース３ａの一端側には互いに適当な間隔を置いてジャック３１、３２が設けられている。これらのジャック３１、３２の位置に対応して、ケース３ａには固定具３４ａ、３４ｂがジャック３１、３２に挿入されるプラグ２２ａ、４２ａ（図４参照）の挿抜（抜き差し）方向に摺動可能に取付けられている。
【００１４】
固定具３４ａ、３４ｂは、軽金属或いは合成樹脂材料からなり、全体として略Ｌ字状に形成されている。固定具３４ａ、３４ｂの先端には固定具３４ａ、３４ｂの長手方向に直交する方向に折曲された二股状の係止片３８ａ、３８ｂが設けられている。すなわち、係止片３８ａ、３８ｂは図３において下端方向に開口するＵ字状の切欠部３９ａ、３９ｂが設けられ、二股状に形成されている。
【００１５】
Ｕ字切欠部３９ａ、３９ｂの切欠幅は、例えば、後述するプラグ２２ａ、４２ａの基端部の溝２２ｂ、４２ｂに係合する大きさに設定されている。なお、このＵ字切欠部３９ａ、３９ｂの切欠幅は一例であってプラグ２２ａ、４２ａの他の部分に係合する大きさであっても良い。
【００１６】
固定具３４ａ、３４ｂの基部３５ａ、３５ｂには、固定具３４ａ、３４ｂの長手方向に長く穿孔された長孔３７ａ、３７ｂが設けられている。固定具３４ａ、３４ｂの基部３５ａ、３５ｂは、長孔３７ａ、３７ｂを貫通してケース３ａに螺合する固定ネジ３６ａ、３６ｂにより取付けられている。この固定ネジ３６ａ、３６ｂを締め付けることにより固定具３４ａ、３４ｂを固定したり、或いは緩めることにより固定具３４ａ、３４ｂを摺動させることができる。
符号３ｂは取付け片を示している。取付け片３ｂに設けられたネジ穴３ｃを使用してプラグ固定機構６を適当な躯体にネジ止めすることが可能である。
【００１７】
次に、プラグ固定機構６の使用に際しての固定動作を説明する。まず、図４に示すように、固定ネジ３６ａ、３６ｂを緩めて固定具３４ａ、３４ｂをＡ方向に引き出す。
次いで、図５に示すように、プラグ２２ａをＢ方向に動かしてプラグ２２ａの基部の溝２２ｂに係止片３８ａのＵ字切欠部３９ａを係合させる。このとき、プラグ２２ａは係止片３８ａに挟持された状態となる。同様に、プラグ４２ａの基部の溝４２ｂに係止片３８ｂの切欠部３９ｂを係合させることにより、プラグ４２ａは係止片３８ｂに挟持される。
【００１８】
なお、プラグ２２ａの基部の溝２２ｂは、プラグ２２ａとコードとの接続部に可撓性を持たせるために設けられた溝であるが、このような溝を有さないプラグの場合には、プラグ基端部の拡径部に引掛かるようにＵ字切欠部３９ａを係合させればよい。プラグ４２ａについても同様である。
【００１９】
次いで、プラグ２２ａとともに固定具３４ａをＣ方向に引き寄せ、金属ピンをジャックに挿入する。同様に、プラグ４２ａとともに固定具３４ｂをＣ方向に引き寄せ、金属ピンをジャックに挿入する。
【００２０】
次いで固定ネジ３６ａ、３６ｂをそれぞれＤ方向に回転させて締め付け、固定具３４ａ、３４ｂをケース３ａに固定する。これで、プラグ２２ａ、４２ａの挿抜方向（ＡまたはＣ方向）の動きがロックされるので、それぞれのジャックからの離脱を防止することができる。
【００２１】
（プラグ固定機構の構成例３）
図６に、プラグ固定機構の構成例３を示す。このプラグ固定機構３０は、図３〜図５に示すＬ字状の固定具３４ａ、３４ｂに代えて略コの字状の固定具３０４を使用する構成である。
固定具３０４はその両側に側片３０３を有して略コの字状に形成されている。固定具３０４は軽金属或いは合成樹脂材料からなる。側片３０３の基部には、側片３０３の長手方向に長い長孔３０１が穿設されている。長孔３０１を貫通して固定ネジ３０２がケース３ａに螺合されており、その結果、固定具３０４はプラグ２２ａ、４２ａの挿抜方向すなわちＡまたはＣ方向に摺動可能であり、且つＥ方向に回動可能に、ケース３ａに取付けられている。
【００２２】
固定具３０４の底辺部は係止部３０５であり、幅方向一端側（図６では下側）に開口するＵの字状の切欠部３０６、３０７が設けられている。このＵ字切欠部３０６、３０７は構成例１のＵ字切欠部３９ａ、３９ｂ（図４参照）と同様に、切欠幅は、例えば、プラグ２２ａ、４２ａの基端部の溝２２ｂ、４２ｂに係合する大きさに設定されている。なお、この切欠幅は一例であってプラグ２２ａ、４２ａの他の部分に係合する大きさであっても良い。
【００２３】
次に、プラグ固定機構３０の使用に際しての固定動作を説明する。
まず、図６に示すように、固定ネジ３０２を緩めて固定具３０４をＡ方向に引き出す。この段階では固定ネジ３０２が緩められているので固定具３０４はＣ方向に摺動可能であり、且つＥ方向に回動可能であり、ある程度自由に動かすことができる。
【００２４】
次いで、プラグ２２ａの基部の切欠部３０６にプラグ２２ａの溝２２ｂ、切欠部３０７にプラグ４２ａの溝４２ｂを係合させる。このとき、プラグ２２ａ、４２ａは係止部３０５に挟持された状態となる。
次いで、プラグ２２ａ、４２ａとともに固定具３０４をＣ方向に引き寄せ、金属ピン２２ｃをジャック３１に挿入する（図６では図示省略）。
【００２５】
次いで固定ネジ３０２をそれぞれＤ方向に回転させて締め付け、固定具３０４をケース３ａに固定する。これで、プラグ２２ａ、４２ａの挿抜方向（ＡまたはＣ方向）の動きがロックされるので、プラグ２２ａ、プラグ４２ａのジャック３１、５１からの離脱を防止することができる。
【００２６】
（プラグ固定機器の他の構成例）
本発明に係るプラグ固定機構の他の各構成例を図７（Ａ）、（Ｂ）、（Ｃ）に基づいて説明する。この図７は本発明に係るプラグ固定機器の他の構成例の要部拡大斜視図及び要部断面図である。
同図（Ａ）において本発明の他の構成例に係る固定機器１は、前記構成例１の構成と同様に、固定具１１、基部１２、固定ネジ１３、長孔１４、係止片１５及びＵ字切欠部１６とを備えて、この固定ネジ１３により基部１２をスライド自在に支持する構成とし、この構成に加え、固定具１１の基部１２がスライドする方向（電子機器５の機器ケース５２端面に対して直交する方向）にガイド凹部５３を機器ケース５２の上面５４に形成する構成である。
【００２７】
この構成に基づきプラグ固定機構１は、固定具１１のＵ字切欠部１６でＡＣアダプター２のプラグ２２における溝２２ｂに嵌合した状態で、固定具１１の基部１２をガイド凹部５３に沿ってスライド移動できる。この固定具１１のスライド移動により、固定ネジ１３を支点として固定具１１が電子機器５の機器ケース５２の端面に対して直交する方向に正確に移動し、前記プラグ２２の金属ピン２２ｃを電子機器５のジャック５１へ確実に挿通できることとなる。また、固定具１１の基部１２をガイド凹部５３により左右の振れを規制して振動を抑制することにより固定ネジ１３の弛みを未然に防止できる。
【００２８】
また、同図（Ｂ）、（Ｃ）において本発明の他の構成例に係るプラグ固定機構１は、前記構成例１の構成と同様に、固定具１１、基部１２、固定ネジ１３、長孔１４、係止片１５及びＵ字切欠部１６とを備えてこの固定ネジ１３により基部１２をスライド自在にに支持する構成とし、この構成に加え、機器ケース５２の上面５４における基部１２のスライド移動の最終端近傍に固定突起部５５を配設する構成である。
【００２９】
この構成に基づきプラグ固定機構１は、Ｕ字切欠部１６にプラグ２２を契合した状態で固定具１１がスライド移動の基部１２の端部枠材が固定突起部５５を乗り越えて長孔１４内に固定突起部５５を嵌入固定するようにしているので、このプラグ２２の金属ピン２２ｃがジャック５１に確実に挿入できたか否かを確認することができると共に、挿入後に固定ネジ１３が多少緩んでもプラグ２２が引き抜かれるのを防止することができる。
なお、前記基部１２の端部は、下面をテーパ状に隙間が形成されるよう形成され、このテーパ状の隙間で固定突起部５５を基部１２が容易に乗り越えることができることとなる。
【図面の簡単な説明】
【００３０】
【図１】本発明のプラグ固定機構の構成例１を示す全体概略構成図及び構成斜視図である。
【図２】本発明のプラグ固定機構の使用例を示す概要図である。
【図３】本発明のプラグ固定機構の構成例１を示す外観斜視図である。
【図４】本発明のプラグ固定機構へのプラグ差込前の状態を示す外観斜視図である。
【図５】本発明のプラグ固定機構へのプラグ差込後の状態を示す外観斜視図である。
【図６】本発明のプラグ固定機構の構成例２を示す外観斜視図である。
【図７】本発明のプラグ固定機器の他の構成例の要部拡大斜視図及び要部断面図である。
【符号の説明】
【００３１】
１  プラグ固定機構
１１  固定具
１２  基部
１３  固定ネジ
１４  長孔
１５  係止片
１６  Ｕ字切欠部
２  ＡＣアダプタ
２１  電源プラグ
２２、２２ａ  プラグ
２２ｂ  溝
２２ｃ  金属ピン
３  プラグ固定装置
３ａ  ケース
３ｂ  取付け片
３ｃ  ネジ穴
３１、３２  ジャック
３３  コード
３４  プラグ
３４ａ、３４ｂ  固定具
３５ａ、３５ｂ  基部
３６ａ、３６ｂ、３０２  固定ネジ
３７ａ、３７ｂ  長孔
３８ａ、３８ａ  係止片
３９ａ  Ｕ字切欠部
３９ｂ、３０１  長孔
３０３  側片
３０４  固定具
３０５  係止部
３０６、３０７  Ｕ字切欠部
４１  電源プラグ
４２、４２ａ  プラグ
４２ｂ  溝
４２ｃ  金属ピン
４３  コード
５  電子機器
５１  ジャック
５２  機器ケース
５３  ガイド凹部
５４  上面
５５  固定突起部
６  プラグ固定機構
７  コード
８  プラグ
【図１】
2008108496.tif 000003
【図２】
2008108496.tif 000004
【図３】
2008108496.tif 000005
【図４】
2008108496.tif 000006
【図５】
2008108496.tif 000007
【図６】
2008108496.tif 000008
【図７】
2008108496.tif 000009